【手続補正書】
【提出日】平成17年7月15日(2005.7.15)
【手続補正１】
【補正対象書類名】明細書
【補正対象項目名】特許請求の範囲
【補正方法】変更
【補正の内容】
【特許請求の範囲】
【請求項１】基地局から第１のモバイル通信デバイスに送信された通信信号にある非ＧＰＳタイミング情報からＧＰＳ時間の推定値を提供する方法であって、前記方法は、
(i)第２のモバイル通信デバイスにおいて、前記基地局により送信された通信信号にある対応非ＧＰＳタイミング信号を受信するステップと、
(ii)前記第２のモバイル通信デバイスのＧＰＳ受信機において、ＧＰＳ衛星に対する少なくとも一つの擬似範囲を得て、ＧＰＳ時間の第１の推定値を得るステップと、
(iii)ステップ(i)で受信されたタイミング信号の受信と、ステップ(ii)で得られたＧＰＳ時間の推定値との間の関係を導出するステップと、
(iv)前記第１のモバイル通信デバイスにより受信された非ＧＰＳタイミング情報と、ステップ(iii)で導出された関係とから、ＧＰＳ時間の第２の推定値を計算するステップと、
を有する方法。
【請求項２】  請求項１記載の方法であって、前記第１及び第２のモバイル通信デバイスは、これらモバイル通信デバイスと前記基地局との間で送られた伝送の伝送時間における変動を考慮して前記基地局と同期する方法。
【請求項３】  請求項１又は請求項２記載の方法であって、前記基地局は、ＧＰＳ受信機を使用して同期しないセルラー電話ネットワークのいくつかの基地局の一つである方法。
【請求項４】  請求項１から請求項３のいずれか一項記載の方法であって、
前記第２のモバイル通信デバイスの前記ＧＰＳ受信機は、ＧＰＳ時間の推定値を得るためにそれぞれのＧＰＳ衛星に対する少なくとも４つの擬似範囲を得る方法。
【請求項５】  請求項１から請求項４のいずれか一項記載の方法であって、前記ステップ(iv)の前記計算は、前記第１のモバイル通信デバイスにおいて行われる方法。
【請求項６】  請求項１から請求項５のいずれか一項記載の方法であって、前記第１のモバイル通信デバイスがＧＰＳ受信機を有し、前記ＧＰＳ時間の推定値が迅速に捕捉されたＧＰＳ信号に対して使用される方法。
【請求項７】  請求項１から請求項５のいずれか一項記載の方法であって、前記ＧＰＳ時間の推定値は、ＧＰＳ時間ベースのタイムスタンプを提供するために使用される方法。
【請求項８】  請求項７記載の方法であって、前記第１のモバイル通信デバイスがＧＰＳ受信機を有しない方法。
【請求項９】  請求項１から請求項８のいずれか一項記載の方法であって、
ステップ(iii)で導出された前記関係は、前記モバイル通信デバイスから離れて位置するサーバに格納されたデータベースにアップロードされる方法。
【請求項１０】  請求項９記載の方法であって、前記データベースは、前記関係から並びに、同じ基地局と通信する前記第１及び他のモバイル通信デバイスにより受信された非ＧＰＳタイミング情報からＧＰＳ時間の第２の推定値を計算するためのステップ(iii)で導出される関係を検索するためにアクセスされ得る方法。
【請求項１１】  請求項９又は請求項１０記載の方法であって、前記基地局は、ＧＰＳ受信機を用いて同期しないセルラー電話ネットワークのいくつかの基地局の一つであり、前記データベースは、少なくとも２つの同期しない基地局に対してステップ(iii)で導出されたタイプの関係を含む方法。
【請求項１２】  請求項９から請求項１１のいずれか一項記載の方法であって、前記サーバがウェブベースであり、インターネット上でアクセス可能である方法。
【請求項１３】  請求項９から請求項１１のいずれか一項記載の方法であって、前記データベースがネットワークシステムコントローラに接続される方法。
【請求項１４】  基地局と、第１及び第２のモバイル通信デバイスとを有するシステムであって、前記システムは、前記基地局により前記第２のモバイル通信デバイスに送信された通信信号にある非ＧＰＳタイミング信号と、前記第２のモバイル通信デバイスのＧＰＳ受信機から得られたＧＰＳ時間の第１の推定値との間の関係を導出するように、並びに前記関係と、前記第１のモバイル通信デバイスにより受信された非ＧＰＳタイミング情報とを用いて、ＧＰＳ時間の第２の推定値を得るように、構成されたシステム。
【請求項１５】  請求項１４記載のシステムであって、前記第１及び第２のモバイル通信デバイスの両方は、前記モバイル通信デバイスと前記基地局との間で送られる伝送の伝送時間の変動を考慮して前記基地局と同期するシステム。
【請求項１６】  請求項１４又は請求項１５記載のシステムであって、前記基地局は、セルラー電話ネットワークにおけるいくつかの非同期基地局の一つであるシステム。
【請求項１７】  請求項１４から請求項１６のいずれか一項記載のシステムであって、前記ＧＰＳ時間の第２の推定値は、前記第１のモバイル通信デバイスにおいて得られるシステム。
【請求項１８】  請求項１４から請求項１７のいずれか一項記載のシステムであって、前記第１のモバイル通信デバイスはＧＰＳ受信機を有し、前記ＧＰＳ時間の第２の推定値は迅速に捕捉されるＧＰＳ信号に使用されるシステム。
【請求項１９】  請求項１４から請求項１７のいずれか一項記載のシステムであって、前記ＧＰＳ時間の第２の推定値は、ＧＰＳ時間ベースのタイムスタンプを提供するために使用されるシステム。
【請求項２０】  請求項１９記載のシステムであって、前記第１のモバイル通信デバイスは、ＧＰＳ受信機を有しないシステム。
【請求項２１】  請求項１４から請求項１９のいずれか一項記載のシステムであって、前記モバイル通信デバイスから離れて配置されたサーバをさらに有し、当該サーバにステップ(iii)で導出された関係がアップロードされるデータベースが格納されるシステム。
【請求項２２】  請求項２１記載のシステムであって、前記データベースは、前記関係から、並びに前記同じ基地局と通信する第１及び他のモバイル通信デバイスにより受信された非ＧＰＳタイミング情報から、のＧＰＳ時間の第２の推定値を計算するステップ(iii)で導出された関係を検索するためにアクセスされ得るシステム。
【請求項２３】  請求項２１又は請求項２２記載のシステムであって、前記基地局は、ＧＰＳ受信機を使用して同期しないセルラー電話ネットワークのいくつかの基地局の一つであり、前記データベースは、少なくとも２つの同期しない基地局に対するステップ(iii)で導出されるタイプの関係を含むシステム。
【請求項２４】  請求項２１から請求項２３のいずれか一項記載のシステムであって、前記サーバがウェブベースであり、インターネット上でアクセス可能であるシステム。
【請求項２５】  請求項２１から請求項２３のいずれか一項記載のシステムであって、前記データベースは、ネットワークシステムコントローラに接続されるシステム。
【請求項２６】  ＧＰＳ受信機を有し、基地局により送信されデバイスにより受信された通信信号にある非ＧＰＳタイミング信号の受信と、前記ＧＰＳ受信機を用いて得られたＧＰＳ時間の推定値との間の関係を述べる情報を前記基地局へ送信するモバイル通信デバイス。
【請求項２７】  基地局により送信された通信信号にあるＧＰＳタイミング信号と、ＧＰＳ時間との間の関係を述べる情報を前記基地局から受信する通信受信機と、モバイル通信デバイスでのＧＰＳ時間の推定値を得るために前記関係を用いるプロセッサと、を有し、前記モバイル通信デバイスは、ＧＰＳ受信機を用いて同期しないセルラー電話ネットワークのいくつかの基地局の一つである基地局と通信可能であるモバイル通信デバイス。
【請求項２８】  請求項２７記載のモバイル通信デバイスであって、前記モバイル通信デバイスは、全く同期しないセルラー電話ネットワークのいくつかの基地局の一つである基地局と通信を行うことができるモバイル通信デバイス。
【請求項２９】  基地局により送信された通信信号にあるＧＰＳタイミング信号と、ＧＰＳ時間との間の関係を述べる情報を前記基地局から受信する通信受信機と、モバイル通信デバイスでのＧＰＳ時間の推定値を得るために前記関係を用いるプロセッサと、を有し、前記モバイル通信デバイスは、ＧＰＳ受信機を有しないモバイル通信デバイス。